(57)【特許請求の範囲】
【請求項１】
写真シール作成ゲームとして、利用者に、前記利用者を被写体とする撮影作業、および、前記撮影作業により得られた前記利用者の画像に対して編集情報を入力する編集入力作業を行わせ、得られた編集済みの前記利用者の画像を所定のシールシートに印刷し、写真シールとして前記利用者に提供する画像印刷装置であって、
前記画像印刷装置の所定の面を基準として、前記画像印刷装置の正面前方を、前記利用者が前記撮影作業を行う撮影空間とし、前記画像印刷装置の側面の正面側の一部の前方を、前記利用者が前記編集入力作業を行う編集空間とし、前記側面の背面側の一部の前方を、排出される前記写真シールを前記利用者が受け取る排出空間とし、
前記正面に設けられ、前記撮影空間内の前記被写体を撮影する撮影手段と、
前記正面に設けられ、前記撮影手段により撮影された前記被写体の画像を表示する第１の表示手段と、
前記側面の正面側の一部に設けられ、前記前記撮影手段により撮影された前記被写体の画像のうち、編集対象画像として選択された前記被写体の画像を表示する第２の表示手段と、
前記側面の正面側の一部に設けられ、前記第２の表示手段により表示された前記被写体の画像に対する編集入力を受け付ける入力受け付け手段と、
前記入力受け付け手段により受け付けられた前記編集入力に基づいて、前記被写体の画像を編集する編集手段と、
前記編集手段により編集された前記被写体の画像を前記シールシートに印刷する印刷手段と、
前記側面の背面側の一部に設けられ、前記印刷手段により前記被写体の画像が印刷された前記写真シールを排出する排出手段と
を備え、
前記側面に設けられ、前記側面の前方を前記編集空間と前記排出空間とに区切る仕切り板を有する
ことを特徴とする画像印刷装置。
【請求項２】
前記第１の表示手段は、前記撮影空間において撮影が終了されたとき、前記編集空間への移動を案内する案内画面を表示し、
前記第２の表示手段は、前記編集空間において編集が終了されたとき、前記排出空間への移動を案内する案内画面を表示する
ことを特徴とする請求項１に記載の画像印刷装置。
【請求項３】
前記撮影空間において撮影が終了されたとき、前記編集空間において編集が行われているか否かを判定する第１の判定手段と、
前記第１の判定手段により前記編集空間において編集が行われていると判定されたとき、前記編集空間において行われている編集が終了するまでの期間、前記撮影空間において撮影を終了させたユーザに対して、所定の処理を実行させる第１の実行手段と、
前記編集空間において編集が終了されたとき、前記印刷手段または前記排出手段による排出に関する処理が行われているか否かを判定する第２の判定手段と、
前記判定手段により前記印刷手段または前記排出手段による排出に関する処理が行われていると判定されたとき、前記印刷手段または前記排出手段による排出に関する処理が終了するまでの期間、前記編集空間において編集を終了させたユーザに対して、所定の処理を実行させる第２の実行手段と
をさらに備えることを特徴とする請求項１または請求項２に記載の画像印刷装置。
【請求項４】
写真シール作成ゲームとして、利用者に、前記利用者を被写体とする撮影作業、および、前記撮影作業により得られた前記利用者の画像に対して編集情報を入力する編集入力作業を行わせ、得られた編集済みの前記利用者の画像を所定のシールシートに印刷し、写真シールとして前記利用者に提供する画像印刷装置の画像印刷方法において、
前記画像印刷装置の所定の面を基準として、前記画像印刷装置の正面前方の撮影空間において、被写体を撮影する撮影ステップと、
前記撮影ステップの処理により撮影された前記被写体の画像を表示する第１の表示ステップと、
前記画像印刷装置の側面の正面側の一部の前方の編集空間において、前記撮影ステップの処理により撮影された前記被写体の画像のうち、編集対象画像として選択された前記被写体の画像を表示する第２の表示ステップと、
前記第２の表示ステップの処理により表示された前記被写体の画像に対する編集入力を受け付ける入力受け付けステップと、
前記入力受け付けステップの処理により受け付けられた前記編集入力に基づいて、前記被写体の画像を編集する編集ステップと、
前記編集ステップの処理により編集された前記被写体の画像を前記シールシートに印刷する印刷ステップと、
前記側面の背面側の一部の前方の、仕切り板によって前記編集空間と区切られた排出空間において、前記印刷ステップの処理により前記被写体の画像が印刷された前記写真シールを排出する排出ステップと
を含むことを特徴とする画像印刷方法。
【請求項５】
請求項４に記載の画像印刷方法をコンピュータに実行させるプログラム。
【発明の詳細な説明】
【０００１】
【発明の属する技術分野】
本発明は画像印刷装置および方法、並びにプログラムに関し、特に、ユーザの回転率を向上させ、順番待ちの時間を短縮することができるようにするものである。
【０００２】
【従来の技術】
従来、ユーザの画像を撮影し、これを予め用意されたフレーム画像と合成してシール紙などに印刷して提供する画像印刷装置（例えば、プリントクラブ（商標））が知られている。そして、この画像印刷装置には、ユーザは、撮影した画像上に付属のペンで任意の文字や図形などを書き込む（編集する）ことができるようになされているものも存在する。
【０００３】
図１は、従来の画像印刷装置の構成例を示す斜視図である。
【０００４】
画像印刷装置１の筐体１０の面１０−３には、左上方に硬貨投入口５１が設けられており、ユーザは、画像印刷装置１を利用するとき、所定の金額を投入する。また、面１０−３の左右下方に設けられたスピーカ５２は、各種の音声ガイダンスなどを出力し、ユーザに対して、撮影方法（シール作成の進行方法）を案内する。
【０００５】
ユーザにより所定の金額が硬貨投入口５１に投入されると、筐体１０の面１０−１の中央に設置された撮影装置２０のカメラ２１は被写体の画像を取り込み、カメラ２１の近傍に設けられた取り込み画像表示部２２に表示される。
【０００６】
面１０−３の中央上方にある、所定の角度だけ上方を向いた面１０−２に設置されたCRT(Cathode Ray Tube)やLCD(Liquid Crystal Display)などよりなる撮影編集用モニタ４１が撮影方法を案内する画面を表示し、撮影の準備が整うと、ユーザによる面１０−２に設置された操作パネル４２の操作等に基づいて、カメラ２１は被写体を撮影する。このとき、面１０−１の左右に設置された照明装置３１は、内部に発光体（フラッシュ）を有しており、ユーザから撮影の開始が指示され、カメラ２１が取り込む画像を静止画像として記憶するとき（キャプチャするとき）、そのタイミングに合わせて、被写体を照射する。
【０００７】
カメラ２１で撮影され、編集する画像として選択され、保存された画像は、ユーザが撮影処理を終了した後、撮影編集用モニタ４１に表示される。撮影編集用モニタ４１には、タッチパネル（図示せず）が積層されており、ユーザは、撮影編集用モニタ４１に表示されている画像に対して、タッチペン４３または４４を操作することにより、編集対象の画像（以下、適宜、編集対象画像と称する）に任意の文字や図形などを書き込む（入力する）ことができる。
【０００８】
ユーザにより編集された画像は、所定の数、および大きさの複数のシールからなるシールシートに印刷され、筐体１０の面１０−３に設置された印刷物取り出し口８１より排出される。
【０００９】
以上のように、画像印刷装置１においては、撮影、編集、および印刷の作業が１つの空間において行われる。
【００１０】
【発明が解決しようとする課題】
しかしながら、このような画像印刷装置においては、１回の利用時間が長くなり、順番待ちをしているユーザは長時間待たなければならないという課題がある。
【００１１】
また、画像印刷装置を管理する、例えば、ゲームセンターの側としても、ユーザの回転率が高いほど収益率が向上し、好ましい。
【００１２】
本発明はこのような状況に鑑みてなされたものであり、撮影する空間、編集する空間、および印刷する空間をそれぞれ異なる位置に設けることにより、ユーザの回転率を向上させ、順番待ちの時間を短縮できるようにするものである。
【００１３】
【課題を解決するための手段】
本発明の画像印刷装置は、写真シール作成ゲームとして、利用者に、利用者を被写体とする撮影作業、および、撮影作業により得られた利用者の画像に対して編集情報を入力する編集入力作業を行わせ、得られた編集済みの利用者の画像を所定のシールシートに印刷し、写真シールとして利用者に提供する画像印刷装置であって、画像印刷装置の所定の面を基準として、画像印刷装置の正面前方を、利用者が撮影作業を行う撮影空間とし、画像印刷装置の側面の正面側の一部の前方を、利用者が編集入力作業を行う編集空間とし、側面の背面側の一部の前方を、排出される写真シールを利用者が受け取る排出空間とし、正面に設けられ、撮影空間内の被写体を撮影する撮影手段と、正面に設けられ、撮影手段により撮影された被写体の画像を表示する第１の表示手段と、側面の正面側の一部に設けられ、撮影手段により撮影された被写体の画像のうち、編集対象画像として選択された被写体の画像を表示する第２の表示手段と、側面の正面側の一部に設けられ、第２の表示手段により表示された被写体の画像に対する編集入力を受け付ける入力受け付け手段と、入力受け付け手段により受け付けられた編集入力に基づいて、被写体の画像を編集する編集手段と、編集手段により編集された被写体の画像をシールシートに印刷する印刷手段と、側面の背面側の一部に設けられ、印刷手段により被写体の画像が印刷された写真シールを排出する排出手段とを備え、側面に設けられ、側面の前方を編集空間と排出空間とに区切る仕切り板を有することを特徴とする。
【００１４】
撮影手段は、例えば、図２の撮影装置１２０により構成され、第１の表示手段は、例えば、図２の撮影用モニタ１４１により構成され、第２の表示手段は、例えば、図２の編集用モニタ１７１により構成され、入力受け付け手段は、例えば、図２のタッチペン１７２および図６のタッチパネル２５３により構成され、編集手段は、例えば、図１０のステップＳ４５の処理を実行する図６のCPU２０１により構成され、印刷手段は、例えば、図６のプリンタ２０８により構成され、排出手段は、図３の印刷物取り出し口１８１により構成される。また、撮影手段により被写体を撮影する撮影空間、第２の表示手段により表示される被写体の画像を編集する編集空間、および排出手段により印刷媒体を排出する排出空間が異なる位置に設けられる。
【００１５】
ユーザは、第１の表示手段により表示される画面を確認ながら撮影し、編集する画像を選択する。そして、撮影処理が終了したとき、第２の表示手段により表示される画面を確認しながら、撮影した画像を編集する（書き込みをする）。そして、印刷処理が終了したとき、排出手段により排出されるシールシートを取得する。従って、ユーザには、撮影空間において撮影した後、編集空間へ移動することが案内され、編集空間において画像が編集された後、排出空間へ移動することが案内される。
【００１７】
撮影空間、編集空間および排出空間とを異なった位置に設けることにより、例えば、編集空間において画像の編集を終了した最初のユーザが排出空間に移動し、印刷されたシールシートが排出されるのを待つとともに、撮影空間において撮影を行った次のユーザは、編集空間に移動し、画像の編集を開始し、さらに同時に、順番待ちをしていたその次のユーザは、撮影空間に入場し、撮影を開始することができる。
【００１８】
以上のように構成することにより、順番待ちの時間を短縮することができる。
また、画像印刷装置を管理する管理者の側からしても、ユーザの回転率が向上するため、収益率を向上させることができる。
【００２３】
第１の表示手段は、撮影空間において撮影が終了されたとき、編集空間への移動を案内する案内画面を表示し、第２の表示手段は、編集空間において編集が終了されたとき、排出空間への移動を案内する案内画面を表示するようにすることができる。
【００２４】
例えば、編集空間への移動の案内の場合、図９のステップＳ１５の処理のように案内画面が第１の表示手段に表示される。また、排出空間への移動の案内の場合、図１０のステップＳ５０の処理のように案内画面が第２の表示手段に表示される。
【００２５】
撮影空間において撮影が終了されたとき、編集空間において編集が行われているか否かを判定する第１の判定手段と、第１の判定手段により編集空間において編集が行われていると判定されたとき、編集空間において行われている編集が終了するまでの期間、撮影空間において撮影を終了させたユーザに対して、所定の処理を実行させる第１の実行手段と、編集空間において編集が終了されたとき、印刷手段または排出手段による排出に関する処理が行われているか否かを判定する第２の判定手段と、判定手段により印刷手段または排出手段による排出に関する処理が行われていると判定されたとき、印刷手段または排出手段による排出に関する処理が終了するまでの期間、編集空間において編集を終了させたユーザに対して、所定の処理を実行させる第２の実行手段とをさらに備えるようにすることができる。
【００２６】
第１の判定手段は、例えば、図９のステップＳ１４の処理を実行する図６のCPU２０１により構成され、第１の実行手段は、例えば、図９のステップＳ２１の処理を実行する図６のCPU２０１により構成され、第２の判定手段は、例えば、図１０のステップＳ４６の処理を実行する図６のCPU２０１により構成され、第２の実行手段は、例えば、図１０のステップＳ４９の処理を実行する図６のCPU２０１により構成される。
【００２７】
第１の判定手段により、編集空間において他のユーザが編集処理を行っていると判定された場合、例えば、図９のステップＳ１６の処理に示すように処理選択画面が表示される。ユーザは、編集空間にいる他のユーザが編集処理を終了させ、編集空間からいなくなるまでの期間、この処理選択画面から選択することにより、所定の処理を実行することができる。この所定の処理は、例えば、撮り直しや、ゲーム（もぐら叩き）などとされる。
【００２８】
また、第２の判定手段により、シールシートの排出に関する処理が実行中であると判定された場合、例えば、図１０のステップＳ４７の処理に示すように処理選択画面が表示される。ユーザは、排出空間にいる他のユーザが排出手段により排出されたシールシートを取得し、排出空間からいなくなるまでの期間、この処理選択画面から選択することにより、所定の処理を実行することができる。この所定の処理は、例えば、編集のやり直しや、ゲーム（もぐら叩き）などとされる。
【００２９】
これにより、次の処理を行う空間で作業している他のユーザがいる場合、待機しているユーザは、退屈せずにその時間を過ごすことができる。
【００３０】
本発明の画像印刷装置の画像印刷方法は、写真シール作成ゲームとして、利用者に、利用者を被写体とする撮影作業、および、撮影作業により得られた利用者の画像に対して編集情報を入力する編集入力作業を行わせ、得られた編集済みの利用者の画像を所定のシールシートに印刷し、写真シールとして利用者に提供する画像印刷装置の画像印刷方法において、画像印刷装置の所定の面を基準として、画像印刷装置の正面前方の撮影空間において、被写体を撮影する撮影ステップと、撮影ステップの処理により撮影された被写体の画像を表示する第１の表示ステップと、画像印刷装置の側面の正面側の一部の前方の編集空間において、撮影ステップの処理により撮影された被写体の画像のうち、編集対象画像として選択された被写体の画像を表示する第２の表示ステップと、第２の表示ステップの処理により表示された被写体の画像に対する編集入力を受け付ける入力受け付けステップと、入力受け付けステップの処理により受け付けられた編集入力に基づいて、被写体の画像を編集する編集ステップと、編集ステップの処理により編集された被写体の画像をシールシートに印刷する印刷ステップと、側面の背面側の一部の前方の、仕切り板によって編集空間と区切られた排出空間において、印刷ステップの処理により被写体の画像が印刷された写真シールを排出する排出ステップとを含むことを特徴とする。
【００３１】
撮影ステップは、例えば、図７のステップＳ６により構成され、第１の表示ステップは、例えば、図８のステップＳ７により構成され、第２の表示ステップおよび入力受け付けステップは、例えば、図１０のステップＳ４２により構成され、編集ステップは、例えば、図１０のステップＳ４３により構成され、印刷ステップは、例えば、図１１のステップＳ６５により構成され、排出ステップは、例えば、図１１のステップＳ６６により構成される。
【００３３】
印刷媒体は、例えば、所定の枚数のシールからなるシールシートとされる。このシールシートは、それぞれが等しい大きさのシールからなるシートとすることもできるし、様々な大きさのシールからなるシートとすることもできる。当然、１枚の大きなシールであってもよい。なお、印刷媒体は、シールシートに限定されるものではなく、紙であってもよいし、例えば、フロッピディスクや不揮発性のフラッシュメモリを有する半導体メモリカードなどであってもよい。
【００３４】
本発明のプログラムは、請求項４に記載の画像印刷方法をコンピュータに実行させることを特徴とする。
【００３５】
本発明のプログラムは、所定の記録媒体に記録されて、例えば、図６のドライブ２２０により読み出され、画像印刷装置にインストールされる。記録媒体は、フロッピディスクなどよりなる磁気ディスク、CD-ROM(Compact Disk Read Only Memory)、DVD-ROM(Digital Versatile Disk)などよりなる光ディスク、MD(Mini Disk)などよりなる光磁気ディスク、または半導体メモリなどより構成される。
【００３６】
【発明の実施の形態】
図２は、本発明を適用した画像印刷装置の構成例を示す斜視図である。
【００３７】
図２において、画像印刷装置１００の筐体１１０の正面上方の面１１０−１には、撮影装置１２０が設置されている。この撮影装置１２０には、CCD（Charge Coupled Device）、あるいはCMOS（Complementary Metal Oxide Semiconductor）などよりなるカメラ１２１、および小型のLCD（Liquid Crystal Display）などよりなる取り込み画像表示部１２２が配置されている。カメラ１２１は、被写体の画像を取り込み、その画像（動画像）は、取り込み画像表示部１２２に表示される。取り込み画像表示部１２２がカメラ１２１の近傍に設けられているため、ユーザは、取り込み画像表示部１２２に表示されている自分の画像を確認しながら、視線をほぼカメラ１２１に向けた状態で撮影することができる。
【００３８】
また、面１１０−１の左右には、照明装置１３１が配置される。照明装置１３１は、内部に発光体（フラッシュ）を有しており、ユーザから撮影の開始が指示され、カメラ１２１が被写体を撮影するとき（キャプチャするとき）、そのタイミングに合わせて、被写体を照射する。
【００３９】
面１１０−１の下方にある、所定の角度だけ上方を向いた面１１０−２には、CRT(Cathode Ray Tube)やLCDなどよりなる撮影用モニタ１４１が設置されている。撮影用モニタ１４１は、撮影方法を案内する画面や、後述するように撮影装置１２０により撮影された被写体の画像を表示する。
【００４０】
面１１０−２の右側には、操作パネル１４２が設置されている。操作パネル１４２は、ユーザにより操作される各種の操作ボタンよりなり、例えば、カメラ１２１のズームを調整するときなどに操作される。操作パネル１４２には、例えば、撮影用モニタ１４１に表示される各種の選択に対して、決定するとき操作される「○ボタン」、決定したものをキャンセルするとき操作される「×ボタン」、撮影用モニタ１４１に表示されるカーソルなどを移動するとき操作される「＋ボタン」、「−ボタン」などが配置され、そのほか、撮影の開始を指示するとき操作される「撮影スタートボタン」などが適宜配置される。
【００４１】
面１１０−２の下方にある面１１０−３には、左上方に硬貨投入口１５１が設けられており、ユーザは、画像印刷装置１００を利用するとき、所定の金額を投入する。また、面１１０−３の左右下方には、スピーカ１５２が設けられている。スピーカ１５２は、各種の音声ガイダンスなどを出力し、ユーザに対して、撮影方法（シール作成の進行方法）を案内する。
【００４２】
筐体１１０の左側面である面１１０−４には、CRTやLCDなどよりなる編集用モニタ１７１、タッチペン１７２、およびスピーカ１７３が設けられている。
【００４３】
カメラ１２１で撮影され、編集する画像として選択され、保存された画像は、ユーザが撮影処理を終了した後、編集用モニタ１７１に表示される。編集用モニタ１７１には、タッチパネル２５３（図６参照）が積層されており、ユーザは、編集用モニタ１７１に表示されている画像に対して、タッチペン１７２を操作することにより、編集対象の画像（以下、適宜、編集対象画像と称する）に任意の文字や図形などを書き込む（入力する）ことができる。
【００４４】
すなわち、ユーザは、筐体１１０の正面（面１１０−１）前方の場所（以下、適宜撮影空間と称する）で自分自身を撮影したのち、面１１０−４の前方の場所（以下、適宜編集空間と称する）へ移動して、撮影した自分自身の画像を編集する。
【００４５】
編集用モニタ１７１は、編集対象画像とともに、様々な編集ツールの選択ボタンなどを表示する。そして、編集用モニタ１７１は、タッチペン１７２で書き込みがされたとき、その入力に応じて生成した編集済みの画像を表示する。
【００４６】
タッチペン１７２は、編集用モニタ１７１に積層されるタッチパネル２５３の位置検出方式（例えば、抵抗膜式、超音波式など）に応じて構成され、編集に使用されないとき、図に示すように面１１０−４に設置されている突起部に固定される。
【００４７】
スピーカ１７３は、編集空間にいるユーザに対して、編集の入力方法を説明する音声ガイダンスを出力する。
【００４８】
図３は、図２に示した画像印刷装置１００を左後方上側より見た場合の斜視図であり、本発明を適用した画像印刷装置の構成例を示す図である。
【００４９】
図３において、画像印刷装置１００の筐体１１０の左側面１１０−４には、図２において説明したように、編集用モニタ１７１、タッチペン１７２、およびスピーカ１７３が設けられている。
【００５０】
画像印刷装置１００の筐体１１０の背面１１０−５には、撮影画像が印刷されたシールシートを排出する印刷物取り出し口１８１が設置されている。
【００５１】
印刷物取り出し口１８１は、所定の数、および大きさの複数のシールからなる、編集済みの画像が印刷されたシールシートを排出する。
【００５２】
すなわち、ユーザは、編集空間で自分自身の画像を編集したのち、面１１０−５の前方の場所（以下、適宜排出空間と称する）へ移動して、編集した自分自身の画像が印刷されたシールシートが印刷物取り出し口１８１より排出されるのを待つ。
【００５３】
図４は、図２に示す画像印刷装置の配置例を示す図である。
【００５４】
筐体１１０の上部には、図４に示すように水平前方にカーテンフレーム１９１が取り付けられ、それにカーテン１９２が設けられる。カーテンフレーム１９１はカーテン１９２を吊るすものである。カーテン１９２は撮影空間を覆うように設置され、外光を遮断し、良好な画像を撮影するのに寄与する。
【００５５】
また、同様に筐体１１０の上部（面１１０−４の上部）には、水平左方向にカーテンフレーム１９３が取り付けられ、それにカーテン１９４が設けられる。カーテンフレーム１９３はカーテン１９４を吊るすものである。カーテン１９４は編集空間に筐体１１０の面１１０−４と対向するように設置され、編集用モニタ１７１で反射する外光を遮断し、ユーザが編集用モニタ１７１に表示される画像を見やすくするのに寄与する。
【００５６】
図５は、図３に示す画像印刷装置の配置例を示す図であり、図４に示す画像印刷装置１００を左後方上側より見た場合の図である。
【００５７】
図４に示すように、撮影空間にはカーテンフレーム１９１およびカーテン１９２が設置されており、編集空間には、カーテンフレーム１９３およびカーテン１９４が設置されているが、排出空間においては、ユーザは画像が印刷されたシールシートが排出されるのを待つだけなので、図５に示すようにカーテンフレームおよびカーテンは設置されていなくてもよい。
【００５８】
図６は、図２に示す画像印刷装置の内部の構成例を示すブロック図である。図２乃至図５において説明した部分についてはその説明は省略する。
【００５９】
CPU（Central Processing Unit）２０１は、ROM（Read Only Memory）２０２に記憶されているプログラム、または、プログラム記憶部２０４からRAM（Random Access Memory）２０３にロードしたプログラムに従って画像印刷装置１００の全体の動作をバス２５０を介して制御する。RAM２０３にはまた、CPU２０１が各種の処理を実行する上において必要なデータなどが適宜記憶される。
【００６０】
プログラム記憶部２０４は、ハードディスクやそのドライブからなり、CPU２０１が実行する様々なプログラムなどを記憶する。ドライブ２２０は、フロッピディスクやハードディスクなどの磁気ディスク２３１、CD-ROM，DVDなどの光ディスク２３２、MDなどの光磁気ディスク２３３、または半導体メモリ２３４などの記録媒体に記憶されているプログラムを読み出し、バス２５０を介してプログラム記憶部２０４などに供給する。例えば、ドライブ２２０からは、被写体の画像と合成する新たなフレーム画像などが供給される。
【００６１】
撮影装置１２０の内部には、上述したカメラ１２１および取り込み画像表示部１２２の他に、カメラ制御部２０５が配置されている。カメラ制御部２０５は、ユーザが操作パネル１４２を操作することにより入力したカメラ１２１の調節要求に応じて、カメラ１２１のズーム率、取り込む光量などを制御する。
【００６２】
画像記憶部２０６は、ユーザが撮影し、編集する画像として選択した画像を所定の枚数だけ記憶する。例えば、画像記憶部２０６は、編集対象画像を６枚まで記憶する。
【００６３】
硬貨処理部２０７は、硬貨投入口１５１から投入された硬貨をカウントし、画像の作成代金として予め設定されている所定の金額が投入されたと判定したとき、それをCPU２０１に通知する。
【００６４】
プリンタ２０８は、所定の数、および大きさに分割されたシールのシールシートを複数種類ストックし、ユーザから選択されたシールシートに、編集済みの画像を印刷する。プリンタ２０８により印刷されたシールシートは、印刷物取り出し口１８１から排出され、ユーザに提供される。
【００６５】
音声出力制御部２５１は、CPU２０１からの制御に基づいてスピーカ１５２を制御し、撮影方法などを説明する各種の音声ガイダンスや、例えば、静止画像を取り込むときのシャッター音などの効果音を出力する。一方、音声出力制御部２５４は、スピーカ１７３を制御し、編集方法などを説明する各種の音声ガイダンスや、画像に書き込むときに発生される効果音などを出力する。このように、スピーカ１５２とスピーカ１７３には、必要に応じてそれぞれ異なる音が出力される。
【００６６】
映像入出力制御部２５２は、撮影処理が終了し、ユーザが編集を開始するとき、画像記憶部２０６からバス２５０を介して転送されてくる編集対象画像を内蔵するメモリ（図示せず）に記憶する。そして、映像入出力制御部２５２は、タッチパネル２５３において編集入力がされたとき、編集対象画像上における、その入力位置を検出し、編集対象画像に反映させて編集用モニタ１７１に表示させる。なお、図６においては、編集用モニタ１７１とタッチパネル２５３は別の位置に示されているが、実際には積層して配置されている。
【００６７】
次に、図７乃至図９のフローチャートを参照して、図２に示す画像印刷装置による撮影処理について説明する。
【００６８】
最初にステップＳ１において、CPU２０１は、プログラム記憶部２０４に記憶されている、撮影の進行方法などのデモンストレーション画面（以下、デモ画面と称する）を、撮影用モニタ１４１に表示させるとともに、映像入出力制御部２５２を制御し、編集用モニタ１７１に表示させる。
【００６９】
ステップＳ２において、CPU２０１は、硬貨処理部２０７からの出力に基づいて、所定の代金（シールシートの作成代金）が投入されたか否かを判定し、投入されたと判定するまでデモ画面を表示して待機する。一方、CPU２０１は、代金が投入されたと判定した場合、ステップＳ３に進み、操作パネル１４２からの入力を受け付け、ユーザの指示によるカメラ１２１の調整などの撮影の準備を行う。このとき、CPU２０１は、各種の機能や撮影方法を説明する説明画面を撮影用モニタ１４１に表示させる。ユーザは、その撮影用モニタ１４１に表示された説明画面に従って、カメラ１２１の調整などを行う。なお、硬貨が投入されることに応じて、取り込み画像表示部１２２には、カメラ１２１が撮影している動画像が表示される。
【００７０】
CPU２０１は、ステップＳ４において、ユーザが撮影開始を指示するために操作する操作パネル１４２の撮影開始ボタンの受け付けを開始し、ステップＳ５において、所定の時間が経過したか否か、または、ユーザにより撮影開始のボタンが操作されたか否かを判定し、所定の時間が経過した、または、ユーザにより撮影開始ボタンが操作されたと判定するまで待機する。
【００７１】
所定の時間が経過した、または、ユーザにより撮影開始ボタンが操作されたと判定した場合、CPU２０１は、ステップＳ６に進み、撮影用モニタ１４１に、カウントダウンインジケータを表示させ、撮影を行う。このとき、カメラ１２１により撮影されている画像が静止画としてRAM２０３に記憶される。
【００７２】
また、CPU２０１は、撮影するタイミングとなったとき、照明装置１３１を制御してフラッシュを被写体に照射するとともに、その瞬間にカメラ１２１により取り込まれている画像を、静止画像として保存し、画像記憶部２０６に記憶させる。
【００７３】
ステップＳ７において、CPU２０１は、ステップＳ６で撮影した画像の確認画面を撮影用モニタ１４１に表示させる。
【００７４】
そして、CPU２０１は、ステップＳ８において、ユーザが操作パネル１４２を操作することにより撮影した画像を編集対象画像として保存することを指示したか否かを判定する。指示したと判定した場合、CPU２０１は、ステップＳ９に進み、撮影用モニタ１４１に表示させた画像を画像記憶部２０６に保存し、ステップＳ１０に進む。
【００７５】
一方、CPU２０１は、ステップＳ８において、撮影した画像を編集対象画像として保存することを指示していないと判定した場合、画像を保存せず、ステップＳ１０に進む。
【００７６】
ステップＳ１０において、CPU２０１は、ユーザに再度撮影を行うか否かを選択させる再撮影確認画面を撮影用モニタ１４１に表示させる。ユーザは、操作パネル１４２を操作して指定することにより再撮影を指示するか、若しくは撮影作業の終了を指示することができる。
【００７７】
CPU２０１は、ステップＳ１１において、ユーザが再撮影を指示したか否かを判定する。再撮影を指示していないと判定した場合、CPU２０１は、ステップＳ１２に進み、所定の時間が経過したか否か、または、撮影終了を指示したか否かを判定する。所定の時間が経過しておらず、またユーザが撮影終了を指示していないと判定した場合、CPU２０１は、ステップＳ１０に戻り、それ以降の処理を繰り返す。
【００７８】
所定の時間が経過した、または、ユーザが撮影終了を指示したと判定した場合、CPU２０１は、撮影を終了する。
【００７９】
また、ステップＳ１１において、ユーザが再撮影を指示したと判定した場合、CPU２０１は、ステップＳ１３に進み、残り撮影可能枚数が１枚以上あるか否かを判定する。CPU２０１は、画像記憶部２０６に記憶された画像の枚数をカウントし、残り撮影可能枚数が１枚以上あると判定した場合、ステップＳ３に戻り、それ以降の処理を繰り返す。また、残り撮影可能枚数が０枚であると判定した場合、CPU２０１は、撮影を終了する。
【００８０】
ステップＳ１４において、CPU２０１は、映像入出力制御部２５２の動作状態を確認し、編集空間において編集処理を行っている他のユーザがいるか否かを判定する。CPU２０１は編集処理を実行していないと判定した場合、ステップＳ１５に進み、撮影空間にいるユーザを編集空間に移動させるために、案内画面を撮影用モニタ１４１に表示させる。案内画面を表示させたCPU２０１は、ステップＳ１に戻り、次のユーザに対してそれ以降の処理を繰り返す。
【００８１】
ステップＳ１４において、編集空間に他のユーザがおり、編集処理が実行されていると判定した場合、CPU２０１は、ステップＳ１６に進み、画像の撮り直しを行うか否か、またはゲームを行うか否かの処理選択画面を撮影用モニタ１４１に表示させる。
【００８２】
処理選択画面を表示させたCPU２０１は、ステップＳ１７において、ユーザが操作パネル１４２を操作して再撮影を指示したか否かを判定する。再撮影を指示したと判定した場合、CPU２０１は、ステップＳ１８に進み、画像記憶部２０６に記憶された画像の中から消去する画像を選択させる再撮影画像確認画面を表示させる。再撮影画像確認画面を表示させたCPU２０１は、ステップＳ１９に進み、ユーザにより消去する画像が選択されたか否かを判定し、画像が選択されたと判定するまで、再撮影画像確認画面を表示しながら待機する。
【００８３】
ユーザが操作パネル１４２を操作して、消去する画像を選択したと判定した場合、CPU２０１は、ステップＳ２０において、選択された画像を消去し、再度撮影を行う。再撮影を行ったCPU２０１は、ステップＳ１４に戻り、それ以降の処理を繰り返す。
【００８４】
また、ステップＳ１７において、ユーザが再撮影を指示していないと判定した場合、CPU２０１は、ステップＳ２１に進み、撮影用モニタ１４１にゲーム画面を表示し、もぐらたたき等のゲームに関する処理を行う。ゲームが終了すると、CPU２０１は、ステップＳ１４に戻り、それ以降の処理を繰り返す。
【００８５】
以上のような、再撮影やゲーム等の処理により、ユーザは、編集処理までの時間を退屈せずに待つことができる。
【００８６】
図９のステップＳ１５において、CPU２０１は、案内画面を撮影用モニタ１４１に表示し、撮影空間にいるユーザを編集空間に誘導すると、編集空間に移動したユーザに対して、編集処理を実行する。
【００８７】
図２に示す画像印刷装置による編集処理を図１０のフローチャートを参照して説明する。
【００８８】
最初にステップＳ４１において、CPU２０１は、画像記憶部２０６に記憶された編集対象画像を取得する。そしてCPU２０１は、ステップＳ４２に進み、映像入出力制御部２５２を介して、編集用モニタ１７１に取得した編集対象画像、編集機能ボタン、編集終了ボタンを含む編集画面を表示させ、ユーザがタッチペン１７２を操作して行われる編集入力の受け付けを開始する。ユーザは、表示された画像に対してタッチペン１７２を操作することにより、画像に落書きなどの編集を行う。
【００８９】
CPU２０１は、ステップＳ４３において、ユーザがタッチペン１７２を操作して入力した編集情報をリアルタイムに編集対象画像に重ね合わせた編集画像を、映像入出力制御部２５２を介して、編集用モニタ１７１に表示させる。これにより、ユーザは、編集した画像を参照しながら、さらなる編集を行うことができる。
【００９０】
ステップＳ４４において、CPU２０１は、予め決められた所定の時間が経過したか否か、または、ユーザがタッチペン１７２を操作することにより、編集画面に表示された編集終了ボタンを操作されたか否かを判定し、所定の時間が経過した、または、編集終了ボタンが表示されたと判定するまで、編集画像を表示しながら待機する。
【００９１】
ユーザの操作により、所定の時間が経過した、または、編集終了ボタンが表示されたと判定した場合、CPU２０１は、ステップＳ４５に進み、編集入力の受け付けを終了する。
【００９２】
ステップＳ４６において、CPU２０１は、プリンタ２０８の動作状態を確認し、排出空間において印刷物取り出し口１８１よりシールシートが排出されるのを待っている他のユーザがいるか否かを判定する。CPU２０１は、印刷処理を実行していないと判定した場合、ステップＳ５０に進み、編集空間にいるユーザを排出空間に移動させるために、案内画面を編集用モニタ１７１に表示させる。案内画面を表示させたCPU２０１は、編集処理を終了する。
【００９３】
ステップＳ４６において、排出空間に他のユーザがおり、排出処理が実行されていると判定した場合、CPU２０１は、ステップＳ４７に進み、画像編集のやり直しを行うか否か、またはゲームを行うか否かの処理選択画面を編集用モニタ１７１に表示させる。
【００９４】
処理選択画面を表示させたCPU２０１は、ステップＳ４８において、ユーザがタッチペン１７２を操作して再編集を指示したか否かを判定する。再編集を指示したと判定した場合、CPU２０１は、ステップＳ４２に戻り、それ以降の処理を繰り返す。
【００９５】
また、ステップＳ４８において、ユーザが再編集を指示していないと判定した場合、CPU２０１は、ステップＳ４９に進み、編集用モニタ１７１にゲーム画面を表示し、もぐらたたき等のゲームに関する処理を行う。ゲームが終了すると、CPU２０１は、ステップＳ４６に戻り、それ以降の処理を繰り返す。
【００９６】
以上のような、再編集やゲーム等の処理により、ユーザは、印刷処理までの時間を退屈せずに待つことができる。
【００９７】
ステップＳ５０において、CPU２０１は、案内画面を編集用モニタ１７１に表示し、編集空間にいるユーザを排出空間に誘導すると、排出空間に移動したユーザに対して、印刷処理を実行する。
【００９８】
次に図２に示す画像印刷装置による印刷処理を図１１のフローチャートを参照して説明する。
【００９９】
最初にステップＳ６１において、CPU２０１は、編集処理を施した、編集画像を映像入出力制御部２５２より取得する。そして、ステップＳ６２において、CPU２０１は、プリンタ２０８の状態を確認し、画像を印刷するプリンタ２０８が正常であるか否かを判定する。プリンタ２０８が正常でない場合には、ステップＳ６３に進み、CPU２０１は、エラーメッセージを編集用モニタ１７１に表示させ、ステップＳ６２に戻り、それ以降の処理を繰り返す。
【０１００】
また、ステップＳ６２において、画像を印刷するプリンタ２０８が正常であると判定した場合には、CPU２０１は、ステップＳ６４に進み、CPU２０１は、プリンタ２０８を制御し、ステップＳ６１で取得した編集画像をプリンタ２０８に供給し、プリンタ２０８に印刷処理を実行させる。これにより、シールに被写体の画像とこれに加えた落書きが重畳された画像が印刷されることになる。
【０１０１】
ステップＳ６５において、CPU２０１は、プリンタ２０８により印刷されたシールを印刷物取り出し口１８１から排出させる。シールを排出させたCPU２０１は印刷処理を終了する。
【０１０２】
以上において、撮影処理、編集処理、および印刷処理は、それぞれ独立に平行して行われる。その結果、撮影空間におけるユーザの撮影処理、編集空間におけるユーザの編集処理、および排出空間における印刷処理が独立に行われ、効率的にユーザを回転させることが可能となる。
【０１０３】
図１２は、本発明を適用した画像印刷装置の他の構成例を示す斜視図である。
図２に対応する部分については、同一の符号を付してある。
【０１０４】
図２の例においては、編集用モニタ１７１が筐体１１０の面１１０−４（左側面側）に、印刷物取り出し口１８１が面１１０−５（背面側）にそれぞれ設置されるとしたが、この例においては、画像印刷装置３００の筐体３１０の左側面には仕切り板３２１が設置され、左側面は、仕切り板３２１より正面側の面３１０−４Ａと、仕切り板３２１より背面側の面３１０−４Ｂとに分割されている。そして、編集用モニタ１７１は、筐体３１０の面３１０−４Ａに設置され、印刷物取り出し口１８１は面３１０−４Ｂに設置されている。また、それに伴って、タッチペン１７２およびスピーカ１７３も筐体３１０の面３１０−４Ａに設置されている。これにより、面３１０−４Ａの前方が編集空間となり、面３１０−４Ｂの前方が排出空間となる。
【０１０５】
図１３は、図１２に示す画像印刷装置を左後方上側より見た場合の斜視図であり、図３に対応する部分については、同一の符号を付してある。
【０１０６】
図３の例においては、印刷物取り出し口１８１は、筐体１１０の背面１１０−５に設置されていたが、図１３に示すように、印刷物取り出し口１８１は、筐体３１０の面３１０−４Ｂに設置されており、背面３１０−５には設置されていない。また、筐体３１０の左側面は、仕切り板３２１により、面３１０−４Ａと面３１０−４Ｂに分割されている。
【０１０７】
図１４は、図１２に示す画像印刷装置の配置例を示す斜視図である。
【０１０８】
図４の例においては、筐体１１０の上部（面１１０−４の上部）に、水平左方向にカーテンフレーム１９３が設置され、カーテン１９４は編集空間に筐体１１０の面１１０−４と対向するように設置されているが、図１４に示すように、カーテンフレーム３９３は面３１０−４Ａの上部に水平左方向に設置され、カーテン３９４は、筐体３１０の面３１０−４Ａと対向するように設置されている。
【０１０９】
図１５は、図１３に示す画像印刷装置の配置例を示す斜視図であり、図１４に示す画像印刷装置を左後方上側より見た場合の図である。
【０１１０】
図５の例においては、面１１０−４の前方の編集空間には、カーテンフレーム１９３およびカーテン１９４が設置されているが、図１５に示すように、画像印刷装置３００における編集空間は、面３１０−４Ａの前方であり、カーテンフレーム３９３およびカーテン３９４は、この面３１０−４Ａの前方の編集空間に設置される。また、排出空間である面３１０−４Ｂの前方には、カーテンフレームおよびカーテンは設置されなくても良い。
【０１１１】
以上のように画像印刷装置を構成しても、撮影処理、編集処理、および印刷処理は、それぞれ独立に平行して行うことができるので、その結果、撮影空間におけるユーザの撮影処理、編集空間におけるユーザの編集処理、および排出空間における印刷処理が独立に行われ、効率的にユーザを回転させることが可能となる。
【０１１２】
また以上において、印刷媒体はシールシートとして説明したが、シールシートに限られるものではなく、例えば、所定のサイズの紙や、ポスター用の紙などに印刷するようにしてもよい。また、撮影した画像データを、ユーザが自ら用意したフロッピディスクなどの記録媒体に記録させることができるようにしてもよい。
【０１１３】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１１４】
【発明の効果】
以上のように、本発明によれば、ユーザの回転率を向上させ、順番待ちの時間を短縮することができる。
【図面の簡単な説明】
【図１】従来の画像印刷装置の構成例を示す斜視図である。
【図２】本発明を適用した画像印刷装置の構成例を示す斜視図である。
【図３】本発明を適用した画像印刷装置の構成例を他の角度より示す斜視図である。
【図４】図２に示す画像印刷装置の配置例を示す斜視図である。
【図５】図３に示す画像印刷装置の配置例を示す斜視図である。
【図６】図２に示す画像印刷装置の内部の構成例を示すブロック図である。
【図７】図２に示す画像印刷装置による撮影処理について説明するフローチャートである。
【図８】図２に示す画像印刷装置による撮影処理について説明する、図７に続くフローチャートである。
【図９】図２に示す画像印刷装置による撮影処理について説明する、図８に続くフローチャートである。
【図１０】図２に示す画像印刷装置による編集処理について説明するフローチャートである。
【図１１】図２に示す画像印刷装置による印刷処理について説明するフローチャートである。
【図１２】本発明を適用した画像印刷装置の他の構成例を示す斜視図である。
【図１３】本発明を適用した画像印刷装置の他の構成例を他の角度より示す斜視図である。
【図１４】図１２に示す画像印刷装置の配置例を示す斜視図である。
【図１５】図１３に示す画像印刷装置の配置例を示す斜視図である。
【符号の説明】
１００  画像印刷装置
１２０  撮影装置
１２１  カメラ
１４１  撮影用モニタ
１４２  操作パネル
１５２  スピーカ
１７１  編集用モニタ
１７２  タッチペン
１７３  スピーカ
１８１  印刷物取り出し口
２０１  CPU
２０２  ROM
２０３  RAM
２０８  プリンタ
２５１  音声出力制御部
２５２  映像入出力制御部
２５４  音声出力制御部
【図１】
0004600716.tif 000002
【図２】
0004600716.tif 000003
【図３】
0004600716.tif 000004
【図４】
0004600716.tif 000005
【図５】
0004600716.tif 000006
【図６】
0004600716.tif 000007
【図７】
0004600716.tif 000008
【図８】
0004600716.tif 000009
【図９】
0004600716.tif 000010
【図１０】
0004600716.tif 000011
【図１１】
0004600716.tif 000012
【図１２】
0004600716.tif 000013
【図１３】
0004600716.tif 000014
【図１４】
0004600716.tif 000015
【図１５】
0004600716.tif 000016